(57)【特許請求の範囲】
【請求項１】
開口部が形成された細長い略直方体状のシールドケースと、シールドケース内に配置された放電ワイヤと、複数のワイヤ掛け部が形成され、前記シールドケースの両端部に取り付けられた一対のグリッドホルダと、前記開口部を跨ぐように前記ワイヤ掛け部間に折り返し張架されたグリッドワイヤとを備えた帯電装置において、
前記グリッドホルダの少なくとも一方にグリッドワイヤの端部を固定する固定部が設けられ、
前記シールドケースの開口部と前記固定部との間に、グリッドワイヤを巻き付ける巻回部が形成されていることを特徴とする帯電装置。
【請求項２】
前記巻回部が、前記グリッドホルダの側部に形成された突起である請求項１記載の帯電装置。
【請求項３】
前記巻回部の外周に、グリッドワイヤを巻きつける溝部が形成されている請求項１又は２記載の帯電装置。
【請求項４】
前記固定部が、前記グリッドワイヤの一端部を巻き付けたネジを、前記グリッドホルダに形成されたネジ穴に螺入してワイヤ固定するものである請求項１〜３のいずれかに記載の帯電装置。
【発明の詳細な説明】
【技術分野】
【０００１】
本発明は画像形成装置等に用いられる帯電装置に関し、より詳細にはいわゆるスコロトロン方式の帯電装置に関するものである。
【背景技術】
【０００２】
複写機やプリンタ、ファクシミリなどの画像形成装置において、感光体表面を一様に帯電させる装置として、放電ワイヤに高電圧を印加してコロナ放電を生じさせるものがこれまでから広く用いられている。さらにはコロナ放電分布を一層均一にするために、グリッドを備えたスコロトロン方式の帯電装置が多く用いられている。
【０００３】
図７に、これまでのスコロトロン方式の帯電装置の一例を示す。シールドケース１の両側部に一対のグリッドホルダ３ａ’（この図ではグリッドホルダの一方のみ）が取り付けられ、シールドケース１内には長手方向に放電ワイヤ（不図示）が張架されている。そしてシールドケース１の開口部１２には、一対のグリッドホルダ３ａ’に形成された複数のピン３１，・・・によって、一本のグリッドワイヤ１１が折り返し張架されている。
【０００４】
このグリッドワイヤ１１をシールドケース１の開口部１２に張るときは、まずグリッドワイヤ１１の始端を、一方のグリッドホルダの突起（不図示）に巻き付け固定する。つぎに、シールドケース１の両端部に取り付けられたグリッドホルダのピン３１，・・・にグリッドワイヤ１１を交互に引っ掛けて、シールドケース１の開口部１１に複数本のグリッドワイヤ１１が跨ぐように張架する。そして、グリッドワイヤ１１の終端をネジ４に巻き付け、グリッドホルダ３ａ’に形成されたネジ穴３５にネジ４を螺入してグリッドワイヤ１１の端部を固定していた。
【特許文献１】特開平５−０１１５６８号公報
【特許文献２】特開平６−１３０７８５号公報
【特許文献３】特開２００３−１７７５９５号公報
【発明の開示】
【発明が解決しようとする課題】
【０００５】
ところが、グリッドワイヤ１１の終端を固定するとき、張力をかけた状態でグリッドワイヤ１１を固定する必要があり、グリッドワイヤ１１を引っ張りながら固定用のネジ４を締めるといった熟練が必要な作業を要していた。
【０００６】
本発明はこのような従来の問題に鑑みてなされたものであり、その目的とするところは、張力をかけながらグリッドワイヤの終端を容易に固定できる帯電装置を提供することにある。
【課題を解決するための手段】
【０００７】
本発明によれば、開口部が形成された細長い略直方体状のシールドケースと、シールドケース内に配置された放電ワイヤと、複数のワイヤ掛け部が形成され、前記シールドケースの両端部に取り付けられた一対のグリッドホルダと、前記開口部を跨ぐように前記ワイヤ掛け部間に折り返し張架されたグリッドワイヤとを備えた帯電装置において、前記グリッドホルダの少なくとも一方にグリッドワイヤの端部を固定する固定部が設けられ、前記シールドケースの開口部と前記固定部との間に、グリッドワイヤを巻き付ける巻回部が形成されていることを特徴とする帯電装置が提供される。
【０００８】
ここで作業性の一層の向上を図る観点から、前記巻回部を、前記グリッドホルダの側部に形成された突起とするのが好ましい。またグリッドワイヤを巻きつける溝部を前記巻回部の外周に形成するのが好ましい。
【０００９】
さらに前記固定部を、前記グリッドワイヤの一端部を巻き付けたネジを、前記グリッドホルダに形成されたネジ穴に螺入してワイヤを固定するものとしてもよい。
【発明の効果】
【００１０】
本発明の帯電装置では、シールドケースの開口部とグリッドワイヤの固定部との間に形成された巻回部にグリッドワイヤを巻き付けることによって、グリッドワイヤに加わる張力がここで保持されるので、グリッドワイヤの終端を固定する際にグリッドワイヤを引っ張る必要がなくなる。これによりグリッドワイヤの取り付け作業性が格段に向上する。
【００１１】
また、巻回部として、グリッドホルダの側部に形成された突起とすると、作業性の一層の向上が図られる。さらにグリッドワイヤを巻きつける溝部を前記巻回部の外周に形成すると、作業性および張力保持性の向上が図られる。
【００１２】
そしてまた、グリッドワイヤの終端を巻き付けたネジを、グリッドホルダに形成されたネジ穴に螺入することによって、グリッドワイヤの終端を固定するようにすると、部品点数を従来から増やすことなくワイヤを固定できるようになる。
【発明を実施するための最良の形態】
【００１３】
以下、本発明に係る帯電装置について図に基づいて説明する。なお本発明はこれらの実施形態に何ら限定されるものではない。
【００１４】
図１に、本発明に係る帯電装置を備えた画像形成装置の概説図を示す。この図の画像形成装置は、いわゆる胴内排紙型画像形成装置である。装置本体Ｍの上下方向略中央部には、正面側が開口した排紙空間６が形成されている。この排紙空間６の底面には、排出される用紙を載置するためのトレイ８７が筺体と一体成形されている。一方、排紙空間６の上側には、原稿を読み取るための読取機構９１が内蔵され、排紙空間６の下側には、画像形成機構が内蔵されている。
【００１５】
画像形成機構について説明すると、感光体ドラム７０は帯電装置Ｃによってその表面が正又は負に一様に帯電される。後述するように帯電装置Ｃでは、放電ワイヤに高電圧を印加してコロナ放電を発生させ、感光体ドラム７０表面を帯電させると同時に、グリッドワイヤに所定電圧を印加することによって感光体ドラム７０表面の帯電ムラを抑えている。
【００１６】
他方、原稿載置台９０に原稿（不図示）が載置され、その画像データが読取装置９１によって読みとられる。読み取られた画像データはレーザスキャナ（露光装置）７２によって感光体ドラム７０の表面に書き込まれ、感光体ドラム７０の表面に静電潜像が形成される。具体的には反転現像方式の場合には画像に相当する部分の帯電が除去され、正規現像方式の場合は背景に相当する部分の帯電が除去されて、それぞれ静電潜像が形成される。次に現像装置７３によって感光体ドラム７０上の静電潜像をトナーで可視像化する。このときトナーの帯電極性は、反転現像方式の場合には感光体ドラム７０の帯電極性と同極性であり、正規現像の場合は感光体ドラム７０の帯電極性と逆極性である。
【００１７】
一方、給紙カセット８１に収納されている用紙Ｐは、ピックアップローラ８２により引き出され、給紙ローラ８３とさばきローラ８４とで挟持されて搬送路へ送られる。そしてレジストローラ対８０によって、感光体ドラム７０上のトナー画像が転写部に到達するのにタイミングを合わせて、用紙Ｐは転写部へ送り出される。転写部では、感光体ドラム７０と転写ローラ７４との間で用紙Ｐが挟持されている状態で、トナー帯電極性と逆極性の電荷が転写ローラ７４に印加されることにより、感光体ドラム７０上のトナー像が用紙Ｐ上に移動する。用紙Ｐ上に移動せず感光体ドラム７０上に残留したトナーはクリーニングローラ７５によって除去回収される。一方、トナー像を載置した用紙Ｐは定着ローラ対８５へ搬送される。ここでトナー像は定着ローラ対８５によって加熱・加圧されて用紙Ｐに定着する。そして用紙Ｐは排出ローラ対８６に送られ、トレイ８７へ排出される。
【００１８】
図２に、図１の画像形成装置で用いられている帯電装置Ｃの斜視図を示す。この帯電装置Ｃは、シールドケース１とチャージャケース２を備え、シールドケース１をチャージャケース２に係合してなる。チャージャケース２には放電ワイヤ２１が長手方向に張架されている。そして、内底面上には棒状部材２３１の外周に螺旋に翼部２３２が形成されたスクリュ２３が回動可能に取り付けられており、放電ワイヤ２１及びグリッドワイヤ１１を清掃する清掃部材２２がこのスクリュ２３の翼部２３２に螺接されている。不図示のモータによってスクリュ２３が回動することによって清掃部材２２が長手方向に移動し、放電ワイヤ２１及びグリッドワイヤ１１にそれぞれ接触しているフェルトなどからなる清掃具２２１によって、放電ワイヤ２１及びグリッドワイヤ１１が清掃される。
【００１９】
一方、シールドケース１は、ステンレス鋼などの導電性の材料を細長い略直方体状に成形してなり、その両端部には一対のグリッドホルダ３ａ，３ｂが取り付けられている。グリッドホルダ３ａ，３ｂにはそれぞれ複数のピン（ワイヤ掛け部）３１，・・・が形成され、一方のグリッドホルダ３ａにはさらに、グリッドワイヤ１１の終端を固定するためのネジ４が螺合するネジ穴３５が形成されている。そしてこのグリッドホルダ３ａの、シールドケース１の開口部１２とネジ穴３５との間の側部には突起（巻回部）３３が形成されている。この部分の拡大斜視図を図３に示す。
【００２０】
図３に示すように突起３３は、グリッドホルダ３ａの側部に形成された切欠部３２から外方へ突出するように形成され、その裏面側には切欠部３２の側面に沿って溝部３４が形成されている（図５を参照）。なお、この突起３３はグリッドホルダ３ａと一体成形されている。
【００２１】
図４に示すように、一対のグリッドホルダ３ａ，３ｂに形成された複数のピン３１，・・・によって、シールドケース１の開口部１２に折り返し張架されたグリッドワイヤ１１の終端は、この突起３３に約１周巻き付けられた後、ネジ４の雄ネジ部に巻きつけられる。そしてネジ４が、グリッドホルダ３ａに形成されたネジ穴３５に螺入されることによって、ネジ４の頭とグリッドホルダ３ａの間にグリッドワイヤ１１が挟まれ固定される。
【００２２】
図５に示すように、グリッドワイヤ１１を突起３３に巻きつけると、グリッドワイヤ１１と突起３３の間及びグリッドワイヤ１１同士の摩擦抵抗によってグリッドワイヤ１１にかかっている張力が保持されるので、ネジ４による固定の際にグリッドワイヤ１１を強い力で引っ張っていなくてもグリッドワイヤ１１に弛みは生じず、容易にネジ固定できるようになる。
【００２３】
グリッドワイヤ１１の突起３３への巻き付け数に特に限定はない。グリッドワイヤ１１の巻き付け数を増やせば、それだけ摩擦抵抗が大きくなりグリッドワイヤ１１にかかっている張力が保持されやすくなるが、通常は１周巻きつけるだけで十分である。
【００２４】
グリッドホルダ３ａに形成する突起３３としてはグリッドワイヤ１１を巻きつけられる形状であれば特に限定はないが、振動や衝撃によってグリッドワイヤ１１が突起３３から外れないようにする、また接触面積を大きくして摩擦抵抗を大きくする観点から、グリッドワイヤ１１を巻きつける部分に溝部３４を形成したものが望ましい。図６に、グリッドホルダ１１に形成する突起３３の他の形態を示す。図６の突起３３は略円柱状で、裏面側に切欠部３２の側面に沿って溝部３４が形成されている。
【００２５】
また突起３３の形成位置としては、シールドケース１の開口部１２から固定部までの間であれば特に限定はない。ただし、グリッドホルダ３ａの表面から突き出ていると、他の部材との接触などで突起３３が折れるおそれがあるので、前述の実施形態のようなグリッドホルダ３ａの側部に形成した切欠部３２の内部に形成するのが好ましい。
【００２６】
グリッドワイヤ１１の終端の固定は、ネジによる固定の他、従来公知の固定方法を用いることができ、例えば、グリッドホルダに形成された孔に、グリッドワイヤ１１の端部をピンと共に押入する方法であってもよい。
【００２７】
本発明で使用するグリッドワイヤ１１の材質に特に限定はないが、放電ワイヤ２１からのコロナ放電によって腐食されにくいものが好ましく、例えばステンレス鋼が例示される。グリッドワイヤ１１の直径としては例えば３０〜３５０μｍの範囲が好ましい。またグリッドワイヤ１１をシールドケース１の開口部１２に張架するとき、隣接するグリッドワイヤ間の距離は０．５〜１．５ｍｍの範囲が好ましい。前記距離が１．５ｍｍを超えると帯電制御が難しくなり、０．５ｍｍより狭いとグリッドワイヤの取り付け作業が難しくなる。シールドケース１の開口部１２に張架するグリッドワイヤ１１の本数は、帯電させる感光体の大きさを考慮しながら上記条件を満足するように適宜決定すればよい。他方、本発明で使用する放電ワイヤ２１としては、例えばタングステン線に金メッキしたものが例示される。
【図面の簡単な説明】
【００２８】
【図１】本発明に係る帯電装置を用いた画像形成装置の一例を示す概説図である。
【図２】本発明に係る帯電装置の一例を示す斜視図である。
【図３】グリッドホルダの拡大斜視図である。
【図４】グリッドワイヤの固定状態を示すグリッドホルダの拡大斜視図である。
【図５】グリッドワイヤを突起に巻き付けた状態の斜視図である。
【図６】突起の他の形態を示す斜視図である。
【図７】従来のグリッドワイヤの固定状態を示す部分斜視図である。
【符号の説明】
【００２９】
１    シールドケース
２    チャージャケース
３ａ，３ｂ    グリッドホルダ
４    ネジ（固定部）
Ｃ    帯電装置
１１    グリッドワイヤ
２１    放電ワイヤ
３１    ピン（ワイヤ掛け部）
３２    切欠部
３３    突起（巻回部）
３４    溝部
３５    ネジ穴（固定部）
【図１】
0004732149.tif 000002
【図２】
0004732149.tif 000003
【図３】
0004732149.tif 000004
【図４】
0004732149.tif 000005
【図５】
0004732149.tif 000006
【図６】
0004732149.tif 000007
【図７】
0004732149.tif 000008